(57)【特許請求の範囲】
【請求項１】
額装内に書籍を開いた状態で配置し鑑賞できるようにする書籍用の立体額装において、前記書籍を開いた状態で収容するのに十分な広さの内部空間を有する外枠本体と、該外枠本体に開閉可能に取り付けられ、大部分が透明に構成された外枠蓋部と、前記書籍を支持すべく前記外枠本体に固定された台座と、前記書籍の少なくとも表紙部分を開いた状態で支持すべく前記台座から垂直方向に延在する一対の表紙支持部と、前記書籍の開いたページを両側から付勢する一対の板状または棒状のページ付勢部材であって、その一方の端部において前記外枠本体に回動可能に取り付けられたページ付勢部材と、を具えることを特徴とする書籍用の立体額装。
【請求項２】
請求項１に記載の立体額装において、前記ページ付勢部材が可撓性素材でなり、その自由端部側が前記外枠本体の背板側に湾曲していることを特徴とする書籍用の立体額装。
【請求項３】
請求項１または２に記載の立体額装において、前記ページ付勢部材が竹材で構成されていることを特徴とする書籍用の立体額装。
【請求項４】
請求項１乃至３のいずれかに記載の立体額装において、前記ページ付勢部材が、前記外枠本体に固定された台材にリベット結合されていることを特徴とする書籍用の立体額装。
【請求項５】
請求項１乃至４のいずれかに記載の立体額装において、前記ページ付勢部材が、前記書籍の開いた個々のページの横方向外側１／２の範囲であって、縦方向中央１／３の範囲の部分を付勢する寸法形状であることを特徴とする書籍用の立体額装。
【発明の詳細な説明】
【０００１】
【発明の属する技術分野】
本発明は書籍用の立体額装に関し、特に、雑誌や美術書等を額装内に装填して鑑賞できるようにした書籍用の立体額装に関する。
【０００２】
【従来の技術】
従来の書籍用の立体額装としては、例えば実開平２−１１６８６１号公報に記載されたものがある。この公報に開示されたブックフレームは、絵本や画集等を挟みうる厚みを有する。このブックフレームは、額縁と、該額縁と一体となったガラス面と、本の滑り止めに用いるゴムシートと、中板と、充填用のスポンジと、額縁の裏板とを具える。ガラス面の中央に本を開いて下向きに置き、その上にゴムシートを載せ、中板を載せ、スポンジを載せ、裏板でこのスポンジを押圧し、この裏板を止め金で額縁に固定する。ガラス面へ本を押圧することにより、ブックフレームを壁に掛けたときに本がずり落ちないようにしている。
【０００３】
【発明が解決しようとする課題】
しかしながら、上記従来のブックフレームはガラス面に書籍を開いた状態で置き裏側から押圧する構成であるため、開いたページが潰れた状態となる。開いたページが呈する自然な曲線が潰れると、額装を正面から見たときに外観品質に欠けるという問題を有する。また、ページを開いて裏側から押圧すると書籍が痛んでしまうというという問題があり、特に貴重な書籍などをブックフレームに入れる場合に好ましくない。また、書籍を裏側から押圧して固定するのみであり、壁に掛ける際などブックフレームに大きな振動が加わったときに書籍がずれてしまう可能性がある。何らかの衝撃で書籍がずれると、ブックフレームを正面から見たときに書籍が斜めに見えてしまい好ましくない。
【０００４】
本発明はこのような問題に鑑み、書籍を開いた状態で額装する書籍用の立体額装において、開いたページが有する独特の曲線美を最も良好な状態で鑑賞しうる立体額装を提供することを目的とする。
【０００５】
【課題を解決するための手段】
この目的を達成するために、本発明は、額装内に書籍を開いた状態で配置し鑑賞できるようにする書籍用の立体額装において、前記書籍を開いた状態で収容するのに十分な広さの内部空間を有する外枠本体と、該外枠本体に開閉可能に取り付けられ、大部分が透明に構成された外枠蓋部と、前記書籍を支持すべく前記外枠本体に固定された台座と、前記書籍の少なくとも表紙部分を開いた状態で保持すべく前記台座から垂直方向に延在する一対の表紙保持部材と、前記書籍の開いたページを両側から付勢する一対の板状または棒状のページ付勢部材であって、その一方の端部において前記外枠本体に回動可能に取り付けられたページ付勢部材と、を具えることを特徴とする。
【０００６】
本発明の立体額装では、書籍のページを板状または棒状のページ付勢部材で付勢してページを開いた状態に保持するため、ページが押しつぶされることなく自然な曲線美が発現される。また、台座で書籍を支持するとともに、表紙保持部材で書籍の表紙部分を保持するため、何らかの衝撃が加わっても書籍が斜めにずれることがない。この立体額装のユーザは、ページを開いた書籍が有する独特の曲線美を最も良好な状態で鑑賞することができる。
【０００７】
本発明の立体額装において、前記ページ付勢部材は可撓性素材でなり、その自由端部側が前記外枠本体の背板側に湾曲していることが望ましい。ページ付勢部材を湾曲させると、その先端部のみをページに接触させてページを開いた状態に付勢することができる。開いたページを線ではなく点で押さえるので、書籍の開いたページを最も美しい状態に保つことができる。
【０００８】
本発明の立体額装は、前記ページ付勢部材が竹材で構成されていることが望ましい。一般に立体額装の外枠部分は木材が用いられるので、竹材の有する素材感が木材の素材感と相まって立体額装の外観品質が向上する。また、竹材は適度な強度を有するため、細くて丈夫なページ付勢部材を得ることができる。また、竹材の有する可撓性は開いたページを押さえるのに好適である。
【０００９】
本発明の立体額装では、前記ページ付勢部材が、前記外枠本体に固定された台材にリベット結合されていることが望ましい。ページ付勢部材は回動可能に外枠本体に取り付けられるのであれば、ネジや釘などの手段を用いて止め付けてもよいが、リベット結合を用いると、頻繁にページ付勢部材を回動しても結合が緩んだり外れたりすることがない。また、リベットはネジ等に比して表面側に露出する頭部の外観がスマートであるため、立体額装の外観品質が向上する。
【００１０】
本発明の立体額装では、前記ページ付勢部材が、前記書籍の開いた個々のページの横方向外側１／２の範囲であって、縦方向中央１／３の範囲の部分を付勢する寸法形状であることが望ましい。本願発明者の試行錯誤により、ページ付勢部材の先端でこの部分を押さえるようにすると、書籍の開いたページが呈する曲線美を最も良好な状態で書籍を展示することができることが判明している。
【００１１】
【発明の実施の形態】
本発明の実施の形態を、添付の図面を参照しながら以下に詳細に説明する。図１は、本発明に係る立体額装の外枠蓋部を開いた状態を示す斜視図である。図１に示すように、本発明の立体額装１は、外枠本体１１と、外枠蓋部１２とを具え、外枠本体１１内に内部機構（１５〜１７）を具える。外枠本体１１は、展示する書籍を開いた状態で収容するのに十分な大きさを有し、例えば縦４０ｃｍ、横５０ｃｍ、幅４ｃｍ程度の寸法の箱体として構成される。外枠蓋部１２は、例えば蝶番機構１３を用いて外枠本体１１に開閉可能に取り付けられている。この外枠蓋部１２は外枠本体１１の縦横寸法より若干大きめに（縦横それぞれ２ｃｍ程度大きく）形成されている。外枠蓋部１２は、その大部分に亘って延在するアクリル等の透明板１２ａと、この透明板１２ａの外周部を縁取る額縁１２ｂとを具える。
【００１２】
立体額装１の蝶番１３と反対側の側部には、外枠本体１１側にフック１４ａが、外枠蓋部１２側にリング１４ｂが設けられている。また、外枠本体１１はその背面上端部に立体額装１を壁に掛けるための懸垂手段１１ｂを具える。外枠蓋部１２を閉じてからフック１４ａをリング１４ｂに引っかけると、外枠蓋部１２が勝手に開くことがない。この状態で懸垂手段１１ｂを壁面に設けたフック（図示せず）に係止させる等して立体額装１を壁に掛けると、ユーザは外枠蓋部１２の透明板１２ａを通して外枠本体１１内のものを鑑賞することができる。
【００１３】
本実施例では、外枠本体１１および額縁１２ｂの素材として木材が用いられており、その表面にはランダムな木目模様が表出している。しかしながら外枠本体１１および額縁１２ｂの素材は木材に限るものではなく、樹脂素材や金属素材を用いてもよい。また、外枠本体１１や額縁１２ｂの表面に塗料などで模様や色彩を施してもよい。外枠蓋部１２の透明板１２ａは軽くて丈夫なアクリルを用いるようにしたが、これは外枠蓋部１２を閉じた状態で外部から外枠本体１１内に展示された書籍を眺められるものであれば、ガラスなど他の透明素材を用いてもよい。
【００１４】
外枠本体１１の内部には、書籍自体を支持する台座１５と、書籍の表紙を開いた状態で留め置くための一対の表紙支持部１６、１６と、任意のページを開いた状態で留め置くための一対のページ付勢部材１７、１７とが配設されている。台座１５は長さ約３０ｃｍ、幅約３．５ｃｍの板材からなり、外枠本体１１の長さ方向中央部の下から３〜５ｃｍの高さに水平に取り付けられている。一対の表紙支持部１６、１６は互いに４ｃｍ程度の間隔を空けて、台座１５の幅方向ほぼ中央から垂直方向に延在する。この表紙支持部１６、１６はそれぞれ縦５ｃｍ、横１０ｃｍ、幅約１ｃｍ程度の板材が用いられ、立体額装１の延在方向と平行に台座１５に固定される。したがって、表紙支持部１６、１６は立体額装１において左右対称に表れ、各々外枠本体１１の背板１１ｂから１〜２ｃｍ程の間隔を空けて一直線上に延在する。
【００１５】
一対のページ付勢部材１７、１７はそれぞれ外枠本体１１の左右両端部の下側から延在している。図２は、ページ付勢部材１７の取り付け機構の構成を示す図である。図３（ａ）は正面図、（ｂ）は断面図、（ｃ）は分解組立図である。ページ付勢部材１７は竹材を細く薄い板状に形成してなり、一方の端部において台材１８に取り付けられている。このページ付勢部材１７は長さ１５ｃｍ、厚さ２ｍｍ程度に形成され、中央部分より自由端部側にかけて幅が狭く形成されている。台材１８に取り付けられた側の幅は約１．５ｍｍであり、自由端部側の幅は約５ｍｍである。
【００１６】
ページ付勢部材１７と台材１８との結合にはリベット１７ａが用いられる。すなわち、図３（ｃ）に示すように、台材１８を構成する比較的薄い第１の板材１８ａにページ付勢部材１７をリベット１７ａで止め付け、この第１の板材１８ａを所望高さ（例えば、約２ｃｍ）の第２の板材１８ｂに接着剤等で固定する。板材１８には、例えばバルサ材などを用いる。
【００１７】
こうして、ページ付勢部材１７は台材１８に対し回動可能に構成される。すなわち、竹材と木材の有する適度な弾力性および摩擦度合いにより、リベット結合した後に手で操作してページ付勢部材１７の延在角度を変えることができる。また、ユーザが手でページ付勢部材１７を所望の角度にセットしたら、ページ付勢部材１７はその角度に保持され、回動方向に強い力が加わらない限り延在角は変化しない。なお、付勢部材１７と台材１８との結合はネジや釘などを用いてもよいが、リベットを用いると結合が緩みにくく、露出したリベット頭部の外観もスマートである。
【００１８】
さらに、ページ付勢部材１７の幅が狭くなっている自由端部は、図３（ｂ）における下方向、すなわち外枠本体１１の背板１１ａ側に湾曲している。これにより、ページ付勢部材１７は書籍の開いたページをその先端で付勢する構成となっている。なお、立体額装１においてページ付勢部材１７はそれぞれ左右対称に取り付けられており、立体額装１の両側から開いたページをそれぞれ個別に付勢する構成となっている。
【００１９】
図３は、この立体額装１に書籍をセットした状態を示す斜視図である。立体額装１に書籍をセットするには、フック１４ａを外して外枠蓋部１２を開き、外枠本体１１の台座１５の上に書籍を開いた状態で載置する。この際、書籍の表紙を開いて表紙支持部１６と外枠１１の背板１１ａとの間に挿入する。次に、所望のページを開いて、両側のページ付勢部材１７、１７を回動操作して開いたページ２３ａ、２３ｂの表面を押さえるようにする。この場合、図３に明確に示すように、ページ付勢部材１７が、書籍の開いた個々のページの横方向外側１／２の範囲であって、縦方向中央１／３の範囲の部分を付勢するように延在角を調整するのが好ましい。その後、外枠蓋部１２を閉じてフック１４ａをリング１４ｂに引っかけ、懸垂手段１１ａを用いて立体額装１を壁に掛ける。
【００２０】
図４にこの状態を上から見た断面図を示す。図４に示すように、書籍の表紙２１と裏表紙２２とが表紙支持部１６と外枠本体１１の背板１１ｂとの間に配置され、書籍の内容ページ部分２３が対の表紙支持部１６の間から前方に延在している。このページ部分２３は左右に開かれて、各々ページ付勢部材１７で押さえられる。
【００２１】
本発明の立体額装１では、書籍全体が台座１５に垂直に載置される。また、書籍において比較的硬くて丈夫な部分である表紙２１、２２を表紙支持部１６と背板１１ｂとの間に配置される。さらに、書籍のページ部分２３を対の表紙支持部１６、１６の間から一旦前に出してから開き、これを両側のページ付勢部材１７、１７で押さえるようにしている。この構成により、立体額装１に装填した書籍が傾いたり倒れたりするのが確実に防止される。また、ページ付勢部材１７の先端側の幅を狭く構成しているので、書籍を見る際の邪魔になることがない。
【００２２】
さらに、図４に明確に示すように、書籍のページ部分２３を表紙支持部１６、１６の間から一旦前方に出してから両側に開く構成としているので、書籍のページが過度に拡がって書籍が痛むことがない。また、ページ付勢部材１７に竹材を用い、その自由端部の幅を狭く形成するとともに湾曲させて、開いたページを付勢部材１７の先端（点）で押さえる構成としている。このページ付勢部材１７の先端は、書籍の開いた個々のページの横方向外側１／２の範囲であって、縦方向中央１／３の範囲の部分を付勢する。この位置を可撓性のある竹材でなる付勢部材１７で押さえると、ページが潰れることなく開いた書籍が有する曲線美を最も良好な状態で展示することができる。
【００２３】
なお、立体額装１に装填する書籍は、例えば居間や台所など立体額装１が適用される場所、ユーザの好み、その他展示の目的などによって任意のものを適用することができ、例えば美術書や料理レシピ集などをセットする。また、個人の写真を配列したアルバムや、学術文献、小説などを展示するようにしてもよい。立体額装１を構成する外枠本体１１や外枠蓋部１２、および内部機構（１５〜１７）の寸法形状は収容する書籍の大きさや立体額装１を取り付ける場所の広さなどの実施条件に応じて適宜選択し、決定するものとする。なお、本発明の立体額装は懸垂手段１１ｂを用いて壁に掛ける他、例えば外枠本体１１に支持プレート等を取り付けてテーブルの上で自立するように構成したり、例えば台所に設けた壁のくぼみに填め込むような用い方をしたりすることができる。
【００２４】
本発明の実施の形態について詳細に説明したが、本発明の技術的範囲は上記実施形態のものに限定されることなく、他の様々な実施例として実現することができる。例えば、上記実施例ではページ付勢部材１７に竹材を用いているが、これは他の有機／無機素材、例えば木材、透明な樹脂素材、金属素材などを用いるようにしてもよい。また、ページ付勢部材１７の形状および寸法も上記の例に限るものではなく、開いたページを適度な力で押さえられるものであれば、幅が変化しない板状、断面円柱形状、断面三角形状などに構成することができる。さらに、ページ付勢部材１７の取り付け位置は、立体額装１の両サイド下端部に限られず、両側のページの適切な場所を押さえられる任意の場所に取り付けることができる。その例としては、立体額装１における両サイド中間部、両サイド上端部、開いたページの真下部分、開いたページの真上部分などが考えられる。
【００２５】
【発明の効果】
以上、詳細に説明したように、本発明の立体額装によれば、書籍をガラス面に押しつけて固定する構成をとらないため、開いたページがつぶれることがない。したがって、セットする書籍が傷むことがなく、開いたページの有する自然な曲線美を良好な状態で展示することができる。また、台座で書籍を支持するとともに、表紙保持部材で書籍の表紙部分を保持するため、何らかの衝撃が加わっても書籍が斜めにずれたりすることがない。
【００２６】
また、ページ付勢部材を湾曲させているので、その先端部のみをページに接触させてページを押さえることができ、書籍の開いたページを最も美しい状態に保つことができる。また、ページ付勢部材を竹材で構成することにより、竹材の有する素材感が外枠の素材感と相まって外観品質が向上するとともに、適度な可撓性を有する細くて丈夫なページ付勢部材を得ることができる。
【００２７】
また、ページ付勢部材をリベット結合により回動可能に外枠本体に取り付けたので、頻繁にページ付勢部材を回動しても結合が緩んだり外れたりすることがない。また、リベットはネジ等に比して表面側に露出する頭部の外観がスマートであるため、立体額装の外観品質が向上する。
【図面の簡単な説明】
【図１】  本発明の立体額装の外枠蓋部を開いた状態を示す斜視図である。
【図２】  図１に示すページ付勢部材１７の取り付け構造を示す図である。
【図３】  本発明の立体額装に書籍を装填した状態を示す斜視図である。
【図４】  図３に示す立体額装を上から見た断面図である。
【符号の説明】
１      立体額装
１１    外枠本体
１１ａ  懸垂手段
１２    外枠蓋部
１２ａ  透明板
１５    台座
１６    表紙支持部
１７    ページ付勢部材
１７ａ  リベット
【図１】
0003688647.tif 000002
【図２】
0003688647.tif 000003
【図３】
0003688647.tif 000004
【図４】
0003688647.tif 000005